【手続補正書】
【提出日】平成18年11月6日(2006.11.6)
【手続補正１】
【補正対象書類名】明細書
【補正対象項目名】特許請求の範囲
【補正方法】変更
【補正の内容】
【特許請求の範囲】
【請求項１】  医用像形成又は治療用超音波システムにおいて、
少なくとも１つの超音波音響素子、を備え、
前記少なくとも１つの超音波音響素子は、前記少なくとも１つの超音波音響素子に結合した少なくとも１つのマイクロ機械構成部品を備え、前記構成部品は、
少なくとも１つの集積回路製造プロセスを使用して基板上に製造された少なくとも１つの可動機械素子を備え、
前記少なくとも１つの可動機械素子は、ビーム、カンチレバー、流体、及びガスからなる群から選択された部材であることを特徴とするシステム。
【請求項２】  超音波トランスデューサにおいて、
少なくとも１つの超音波音響素子の少なくとも１つのアレー、を備え、
前記少なくとも１つの超音波音響素子は、前記少なくとも１つの超音波音響素子に結合した少なくとも１つのマイクロ機械構成部品を備え、前記マイクロ機械構成部品は、
少なくとも１つの集積回路製造プロセスを使用して基板上に製造された少なくとも１つの可動機械素子を備え、
前記少なくとも１つの可動機械素子は、ビーム、カンチレバー、流体、及びガスからなる群から選択された部材であることを特徴とするトランスデューサ。
【請求項３】  医用像形成又は治療用超音波システムにおいて、
少なくとも１つの超音波音響素子、
前記少なくとも１つの超音波音響素子に結合した少なくとも１つのマイクロ機械構成部品、及び、
第１区分と第２区分を有する少なくとも１つの基板を備え、
前記第１区分は前記少なくとも１つのマイクロ機械構成部品を備え、前記第２区分は前記少なくとも１つの超音波音響素子を備えることを特徴とするシステム。
【請求項４】  医用像形成又は治療用超音波トランスデューサにおいて、
少なくとも１つの超音波音響素子、
前記少なくとも１つの超音波音響素子に結合した少なくとも１つのマイクロ機械構成部品、及び、
第１区分と第２区分を有する少なくとも１つの基板を備え、
前記第１区分は前記少なくとも１つのマイクロ機械構成部品を備え、前記第２区分は前記少なくとも１つの超音波音響素子を備えることを特徴とするトランスデューサ。
【請求項５】  超音波トランスデューサにおいて、
少なくとも１つの超音波音響素子の少なくとも１つのアレー、を備え、
前記少なくとも１つのアレーは、少なくとも１方向に配置され、高調波画像情報を与えることができ、送信中に前記少なくとも１つの音響素子に第１バイアスが与えられ、受信中に前記少なくとも１つの音響素子に前記第１バイアスと異なる第２バイアスが与えられ、
前記少なくとも１つの超音波音響素子に結合した少なくとも１つのマイクロ機械構成部品、を備えることを特徴とするトランスデューサ。
【請求項６】  超音波トランスデューサにおいて、
少なくとも１つの超音波音響素子の少なくとも１つのアレー、を備え、前記少なくとも１つの超音波音響素子は、マイクロ機械超音波素子を備え、
前記少なくとも１つのアレーは、少なくとも１方向に配置され、高調波画像情報を与えることができ、送信中に前記少なくとも１つの音響素子に第１バイアスが与えられ、受信中に前記少なくとも１つの音響素子に前記第１バイアスと異なる第２バイアスが与えられることを特徴とするトランスデューサ。
【請求項７】  医用像形成又は治療用超音波システムにおいて、
電気信号と音響エネルギーの間を変換することができる少なくとも１つの超音波音響素子、及び、
前記少なくとも１つの超音波音響素子に結合した少なくとも１つのマイクロ機械構成部品、を備え、前記構成部品は、少なくとも１つの集積回路製造プロセスを使用して基板上に製造された少なくとも１つの可動機械素子を備え、
前記少なくとも１つのマイクロ機械構成部品は、前記電気信号を操作できることを特徴とするシステム。
【請求項８】  超音波トランスデューサにおいて、
電気信号と音響エネルギーの間を変換することができる少なくとも１つの超音波音響素子の少なくとも１つのアレー、及び、
前記少なくとも１つの超音波音響素子に結合した少なくとも１つのマイクロ機械構成部品、を備え、前記少なくとも１つのマイクロ機械構成部品は、集積回路製造プロセスを使用して基板上に製造された少なくとも１つの可動機械素子を備え、
前記少なくとも１つのマイクロ機械構成部品は、前記電気信号を操作できることを特徴とするトランスデューサ。
【請求項９】  医用像形成又は治療用超音波システムにおいて、
少なくとも２つの超音波音響素子と、前記少なくとも２つの超音波音響素子に結合したマルチプレクサとを含む超音波プローブ、
画像プロセッサ、及び、
前記マルチプレクサを前記少なくとも２つの超音波音響素子に結合することのできる少なくとも１つの信号結線を備え、
前記マルチプレクサは、少なくとも１つのマイクロ機械構成部品を備え、前記少なくとも１つのマイクロ機械構成部品は、少なくとも１つの集積回路製造プロセスを使用して、基板上に製造された少なくとも１つの可動機械素子を備え、
前記画像プロセッサは、前記マルチプレクサから戻る信号を使用して、像を形成するのに寄与することを特徴とするシステム。
【請求項１０】  医用像形成又は治療用超音波システムにおいて、
少なくとも１つの超音波音響素子、及び、
前記少なくとも１つの超音波音響素子に結合した少なくとも１つのマイクロ機械構成部品、を備え、
前記少なくとも１つの超音波音響素子は、オン／オフ状態、感度、アポディゼーション、一時的にバイアス可能な電気音響アクテビティの程度、スペクトル周波数、信号の位相からなる群から選択された特性を備え、
前記少なくとも１つのマイクロ機械構成部品は、前記少なくとも１つの超音波音響素子の少なくとも１つの特性を制御できることを特徴とするシステム。
【請求項１１】  医用像形成又は治療用超音波システムにおいて、
少なくとも１つの超音波音響素子、及び、
前記少なくとも１つの超音波音響素子に結合した少なくとも２つのマイクロ機械構成部品、を備え、前記少なくとも２つのマイクロ機械構成部品は、連動式に接続され、
前記少なくとも１つの超音波音響素子は、オン／オフ状態、感度、アポディゼーション、一時的にバイアス可能な電気音響アクテビティの程度、スペクトル周波数、信号の位相からなる群から選択された特性を備え、
前記少なくとも２つのマイクロ機械構成部品は、前記少なくとも１つの超音波音響素子の少なくとも１つの特性を制御できることを特徴とするシステム。
【請求項１２】  医用像形成又は治療用超音波システムにおいて、
少なくとも１つの超音波音響素子を備えるトランスデューサ、
前記少なくとも１つの超音波音響素子に結合した少なくとも１つのマイクロ機械構成部品、
画像プロセッサ、及び、
前記トランスデューサに接続された第１端部と、前記画像プロセッサに接続された第２端部とを備えるトランスデューサ接続ケーブルを備え、
前記トランスデューサは、前記トランスデューサ接続ケーブル経由で前記画像プロセッサに接続され、前記少なくとも１つのマイクロ機械構成部品は、前記システムユニットと前記トランスデューサの間に結合し、前記少なくとも１つの超音波音響素子から前記トランスデューサ接続ケーブルを経由して前記画像プロセッサへ来る信号を多重化できることを特徴とするシステム。
【請求項１３】  超音波トランスデューサにおいて、
少なくとも１方向に配置された少なくとも１つの超音波音響素子の少なくとも１つのアレー、及び、
前記少なくとも１つの超音波音響素子に結合した少なくとも１つのマイクロ機械構成部品、を備え、
前記少なくとも１つの超音波音響素子は、オン／オフ状態、感度、アポディゼーション、一時的にバイアス可能な電気音響アクテビティの程度、スペクトル周波数、信号の位相からなる群から選択された特性を備え、
前記少なくとも１つのマイクロ機械構成部品は、前記少なくとも１つの超音波音響素子の少なくとも１つの特性を制御できることを特徴とするトランスデューサ。
【請求項１４】  医用像形成又は治療用超音波システムにおいて、
少なくとも２つの超音波音響素子と、前記少なくとも２つの超音波音響素子に結合したマルチプレクサとを含む超音波プローブ、
画像プロセッサ、及び、
前記マルチプレクサを前記少なくとも２つの超音波音響素子に結合することのできる少なくとも１つの信号結線を備え、
前記マルチプレクサは、少なくとも１つのマイクロ機械構成部品を備え、前記少なくとも１つのマイクロ機械構成部品は、少なくとも１つの集積回路製造プロセスを使用して、基板上に製造された少なくとも１つの可動機械素子を備え、
前記画像プロセッサは、前記マルチプレクサから戻る信号を使用して、像を形成するのに寄与することを特徴とするシステム。
【請求項１５】  医用像形成又は治療用超音波システムにおいて、
電気信号と音響エネルギーの間を変換することができる少なくとも１つの超音波音響素子、及び、
前記少なくとも１つの超音波音響素子に結合した少なくとも１つのマイクロ機械構成部品、を備え、前記少なくとも１つのマイクロ機械構成部品は、前記電気信号を操作できることを特徴とするシステム。
【請求項１６】  医用像形成又は治療用超音波システムにおいて、
電気信号と音響エネルギーの間を変換することができる少なくとも１つの超音波音響素子、及び、
前記少なくとも１つの超音波音響素子に結合した少なくとも２つのマイクロ機械構成部品、を備え、前記少なくとも２つのマイクロ機械構成部品は、連動式に接続され、前記電気信号を操作できることを特徴とするシステム。
【請求項１７】  医用像形成又は治療用超音波システムにおいて、
電気信号と音響エネルギーの間を変換することができる少なくとも１つの超音波音響素子、及び、
前記少なくとも１つの超音波音響素子に結合した少なくとも１つのマイクロ機械構成部品を備え、前記構成部品は、
制御された動きが可能な少なくとも１つの部分を備え、
前記少なくとも１つの部分は、少なくとも１つの物理的寸法が25ミクロンより小さく、
前記少なくとも１つのマイクロ機械構成部品は、前記電気信号を操作できることを特徴とするシステム。